(57)【要約】【課題】ゴルフクラブ用バッグの底に位置ズレなく容易に取り付けることができ、ゴルフクラブ用バッグをガタツクことなく安定に自立させることができるゴルフクラブ用バッグの底部材及びゴルフクラブ用バッグの提供。【解決手段】上面が開口する縦長筒状のバッグ本体の底に取り付けられる短筒容器状のゴルフクラブ用バッグの底部材であって、該底部材の底面の表側及び裏側のいずれか一方又は両方を、凹凸部、凸部、凹部、凸条部及び溝部から選ばれるいずれかの表面形状に形成したゴルフクラブ用バッグの底部材及び該底部材を取り付けたゴルフクラブ用バッグである。【選択図】　図１
2004089425.tif 000002
【特許請求の範囲】
【請求項１】
上面が開口する縦長筒状のバッグ本体の底に取り付けられる短筒容器状のゴルフクラブ用バッグの底部材であって、該底部材の底面の表側及び裏側のいずれか一方又は両方を、凹凸部、凸部、凹部、凸条部及び溝部から選ばれるいずれかの表面形状に形成したことを特徴とするゴルフクラブ用バッグの底部材。
【請求項２】
上面が開口する縦長筒状のバッグ本体の底に取り付けられる短筒容器状のゴルフクラブ用バッグの底部材であって、該底部材の底面形状が円形、楕円形、略長方形及び略三角形のいずれかであることを特徴とするゴルフクラブ用バッグの底部材。
【請求項３】
前記底部材の底面形状が、楕円形である請求項２に記載のゴルフクラブ用バッグの底部材。
【請求項４】
前記凹凸部、凸部、凹部、凸条部及び溝部から選ばれるいずれかの表面形状を、前記底部材の底面の表側に比べて裏側に多く設けた請求項１から３のいずれかに記載のゴルフクラブ用バッグの底部材。
【請求項５】
請求項１から４のいずれかに記載のゴルフクラブ用バッグの底部材を取り付けてなることを特徴とするゴルフクラブ用バッグ。
【請求項６】
ゴルフクラブ用バッグ本体における前面側、背面側及び両側面のいずれかにポケットを設けた請求項５に記載のゴルフクラブ用バッグ。
【発明の詳細な説明】
【０００１】
【発明の属する技術分野】
本発明は、ゴルフクラブ用バッグ（キャディーバッグともいう）の底部材及びゴルフクラブ用バッグに関し、更に詳述すると、ゴルフクラブ用バッグ本体に底部材を位置ズレなく容易に取り付けることができ、ゴルフクラブ用バッグをガタツクことなく安定に自立させることができるゴルフクラブ用バッグの底部材及びゴルフクラブ用バッグに関する。
【０００２】
【従来の技術】
一般に、ゴルフクラブ用バッグは、円筒状の筒状体の底に底部材を取り付け、上端部に口枠を設けた有底筒状のバッグ本体を備えている。このゴルフクラブ用バッグは、ポリプロピレン、ポリエチレン又はこれらの混合物から形成される筒状体に、小物を収納するポケット類が取り付けられたカバーを被せた後、筒状体と同様の材料からなるカバー付きの底と底部材とをミシンによる縫い付けにより縫着している。
【０００３】
しかしながら、ゴルフクラブ用バッグの底に底部材を縫着する際に、位置合わせが難しい。また、バッグ本体（筒状体）の前面側、背面側又は両側面に、予めポケット等を縫い付けることによりバッグ本体にゆがみが生じたり、位置ズレが発生し易い。できあがった製品（ゴルフクラブ用バッグ）において、筒状体が底部材に対して垂直に立たずに傾斜したり、底部材に不均衡な力が作用して捩じれが発生し、プラスチック製の底部材が湾曲してしまい自立させた場合にガタツキが生じるという問題が生じる。更に、プラスチック製の底部材を大量に製造した後、きちんと重ね合わせて保管していないと、底部材が変形してしまって使用不能となってしまうという問題がある。
【０００４】
【発明が解決しようとする課題】
本発明は、このような状況下、従来における諸問題を解決し、以下の目的を達成することを課題とする。
即ち、本発明は、ゴルフクラブ用バッグの筒状体に底部材を位置ズレなく容易に取り付けることができ、ゴルフクラブ用バッグを自立させた場合にガタツキが生じることなく、安定に自立させることができるゴルフクラブ用バッグの底部材及びゴルフクラブ用バッグを提供することを目的とする。
【０００５】
【課題を解決するための手段】
前記課題を解決するための手段としては、下記の通りである。即ち、
＜１＞　上面が開口する縦長筒状のバッグ本体の底に取り付けられる短筒容器状のゴルフクラブ用バッグの底部材であって、該底部材の底面の表側及び裏側のいずれか一方又は両方を、凹凸部、凸部、凹部、凸条部及び溝部から選ばれるいずれかの表面形状に形成したことを特徴とするゴルフクラブ用バッグの底部材である。
＜２＞　上面が開口する縦長筒状のバッグ本体の底に取り付けられる短筒容器状のゴルフクラブ用バッグの底部材であって、該底部材の底面形状が円形、楕円形、略長方形及び略三角形のいずれかであることを特徴とするゴルフクラブ用バッグの底部材である。
＜３＞　前記底部材の底面形状が、楕円形である前記＜２＞に記載のゴルフクラブ用バッグの底部材である。
＜４＞　前記凹凸部、凸部、凹部、凸条部及び溝部から選ばれるいずれかの表面形状を、前記底部材の底面の表側に比べて裏側に多く設けた前記＜１＞から＜３＞のいずれかに記載のゴルフクラブ用バッグの底部材である。
＜５＞　前記＜１＞から＜４＞のいずれかに記載のゴルフクラブ用バッグの底部材を取り付けてなることを特徴とするゴルフクラブ用バッグである。
＜６＞　ゴルフクラブ用バッグ本体における前面側、背面側及び両側面のいずれかにポケットを設けた前記＜５＞に記載のゴルフクラブ用バッグである。
【０００６】
本発明では、更に下記の態様も好適である。
＜７＞上面が開口する縦長筒状のバッグ本体の底に取り付けられる短筒容器状のゴルフクラブ用バッグの底部材であって、該底部材の底面の表側及び裏側のいずれか一方又は両方を、凹凸部、凸部、凹部、凸条部及び溝部から選ばれるいずれかの表面形状に形成すると共に、前記底部材の底面形状が円形、楕円形、略長方形及び略三角形のいずれかであることを特徴とするゴルフクラブ用バッグの底部材である。
＜８＞　前記凹凸部、凸部、凹部、凸条部及び溝部から選ばれるいずれかの表面形状を、前記底部材をバッグ本体の底に取り付けた際に該底部材に変形を与える力を逃がす方向に設けた前記＜１＞から＜４＞及び＜７＞のいずれかに記載のゴルフクラブ用バッグの底部材である。
＜９＞　前記底部材の底面の表側に溝部を設け、該溝部の断面形状が、略台形、略半円形、又は略三角形である前記＜１＞から＜４＞及び＜７＞から＜８＞のいずれかに記載のゴルフクラブ用バッグの底部材である。
＜１０＞　前記底部材の底面の裏側に凸条部を設け、該凸条部の断面形状が、略台形、略半円形、又は略三角形である前記＜１＞から＜４＞及び＜７＞から＜９＞のいずれかに記載のゴルフクラブ用バッグの底部材である。
＜１１＞　上面が開口する縦長筒状のバッグ本体の底に取り付けられる短筒容器状のゴルフクラブ用バッグの底部材であって、第１底部材の底面縁部に複数個の脚部を突設し、該脚部と係合する切れ込みを第２底部材の開口縁部に設けて、該第２底部材の上に第１底部材を順次積み上げて保管可能に構成したことを特徴とする前記＜１＞から＜４＞及び＜７＞から＜１０＞のいずれかに記載のゴルフクラブ用バッグの底部材である。
＜１２＞　底部材の開口縁部の外周面に、ゴルフクラブ用バッグ本体底部の生地と当接するリング状のストッパー段差を設けた前記＜１＞から＜４＞及び＜７＞から＜１１＞のいずれかに記載のゴルフクラブ用バッグの底部材である。
＜１３＞　前記底部材の底面に複数個の水抜き孔を穿設した前記＜１＞から＜４＞及び＜７＞から＜１２＞のいずれかに記載のゴルフクラブ用バッグの底部材である。
＜１４＞　前記底部材の底面の表側における外周部に環状外周溝を設けた前記＜１＞から＜４＞及び＜７＞から＜１３＞のいずれかに記載のゴルフクラブ用バッグの底部材である。
＜１５＞　前記ゴルフクラブ用バッグの底部材が、ポリプロピレン樹脂、ポリエチレン樹脂、ＡＢＳ樹脂及びこれらの混合樹脂から選ばれる１種又は２種以上の材料から形成された前記＜１＞から＜４＞及び＜７＞から＜１４＞のいずれかに記載のゴルフクラブ用バッグの底部材である。
【０００７】
前記＜１＞に記載のゴルフクラブ用バッグの底部材は、その底面の表側及び裏側のいずれか一方又は両方に、凹凸部、凸部、凹部、凸条部及び溝部から選ばれるいずれかの表面形状を設けている。これにより、ゴルフクラブ用バッグの底に取り付けた際に、特に、ポケット等が付いた筒状体を底部材に押し込むことによって底部材の開口縁部が広げられ、その結果、ゴルフクラブ用バッグの底部材にかかる力を効率よく逃がすことができ、底部材のゆがみ、変形を防止できるのでゴルフクラブ用バッグをガタツクことなく安定に自立させることができる。
【０００８】
前記＜２＞に記載のゴルフクラブ用バッグの底部材は、底部材の底面形状を円形、楕円形、略長方形及び略三角形（特に二辺の長い二等辺三角形が好ましい）のいずれかに形成する。これにより、ゴルフクラブ用バッグ本体の底に底部材を取り付けた際に、該底部材にかかる力を効率よく逃がすことができ、底部材のゆがみ、変形を防止できるので、ゴルフクラブ用バッグをガタツクことなく安定に自立させることができる。
【０００９】
前記＜５＞に記載のゴルフクラブ用バッグは、前記＜１＞から＜４＞のいずれかに記載のゴルフクラブ用バッグの底部材を取付けている。そのため、垂直に自立させることができ、高い商品価値を有するゴルフクラブ用バッグが得られる。
【００１０】
前記＜７＞に記載のゴルフクラブ用バッグの底部材は、底部材の底面の表側及び裏側のいずれか一方又は両方を、凹凸部、凸部、凹部、凸条部及び溝部から選ばれるいずれかの表面形状を形成すると共に、前記底部材の底面形状が円形、楕円形、略長方形及び略三角形のいずれかである。これにより、更に効果的に底部材にかかる力を逃がすことができ、底部材のゆがみ、変形を防止できるので、ゴルフクラブ用バッグをガタツクことなく安定に自立させることができる。
【００１１】
前記＜１１＞に記載のゴルフクラブ用バッグの底部材は、第１底部材の底面縁部に複数個の脚部を突設し、該脚部と係合する切れ込みを第２底部材の開口縁部に設けて、該第２底部材の上に第１底部材を順次積み上げて保管可能に構成したことにより、プラスチック製の底部材を大量に生産しても、きちんと重ね合わせて保管することができ、底部材が変形して使用不能となることがないものである。
【００１２】
前記＜１４＞に記載のゴルフクラブ用バッグの底部材は、該底部材の底面の表側における外周部に環状外周溝を設けている。これにより、雨天時にバッグ底部に溜まった水を効率よく外部へ排出するのに寄与することができる。更に、この環状外周溝を底部材の底面の表側に設けることによっても、底部材にかかる力を逃がすことができ、底部材のゆがみ、変形を防止することができる。
【００１３】
【発明の実施の形態及び実施例】
以下、本発明について図面を参照して更に詳しく説明する。
＜第一の実施態様に係るゴルフクラブ用バッグの底部材＞
図１〜図５は、本発明の第一の実施態様に係るゴルフクラブ用バッグの底部材を示し、図１は、底部材の底面の表側１ａの平面図、図２は、底部材の底面の裏側１ｂの平面図、図３は、底部材の側面図、図４は、図３のＢ−Ｂ線での断面図、図５は、底部材の底面の裏面にマークＭを施した平面図、をそれぞれ示す。
【００１４】
図１〜図５に示す第一の実施態様に係るゴルフクラブ用バッグの底部材１０は、短筒容器状を呈し、底面１の形状が楕円形に形成されている。
前記底部材１０の底面の表側及び裏側のいずれか一方又は両方に、凹凸部、凸部、凹部、凸条部及び溝部から選ばれるいずれかの表面形状を設けることができる。この第一実施態様のゴルフクラブ用バッグの底部材では、その底面１の表側１ａには溝部３、底面の裏側１ｂには凸条部５がそれぞれ形成されている。
【００１５】
この第一実施態様のゴルフクラブ用バッグの底部材１０は、前記底部材の底面１の裏側１ｂには複数本の並行配列した凸条部５が形成されている。そして、前記底部材の底面１の表側１ａには前記凸条部５に対応した溝部３が複数個形成されている。このため、底部材の底面１の表側１ａと裏側１ｂとの間の厚みをほぼ均一にすることができる。このような底部材の底面構造とすることによって、強度の低下をもたらすことなく、効率よく底部材にかかる力を逃し、底部材のゆがみや変形を防止することができる。
【００１６】
前記凹凸部、凸部、凹部、凸条部及び溝部から選ばれるいずれかの表面形状は、底部材をバッグ本体の底に取り付けた際に該底部材にかかる力を逃がす方向に形成することが好ましい。第一実施態様のゴルフクラブ用バッグの底部材１０では、楕円形の底面の短軸方向に沿って規則的に複数個の溝部３及び凸条部５が形成されている。
【００１７】
前記底部材１０においては、底面の表側１ａに比べて裏側１ｂに多くの凹凸部、凸部、凹部、凸条部及び溝部から選ばれるいずれかの表面形状を設けることが、更に効率よく力を逃がすことができる点から好ましい。
【００１８】
前記底部材の底面の表側１ａに溝部３を設け、該溝部３の断面形状が、略台形、略半円形、又は略三角形であることが好ましい。この第一実施態様のゴルフクラブ用バッグの底部材では、底面の表側１ａに溝部３を設け、該溝部３の断面形状が、略半円形であることが好ましい。
【００１９】
前記底部材の底面の裏側１ｂに凸条部５を設け、該凸条部５の断面形状が、略台形、略半円形、又は略三角形であることが好ましい。この第一実施態様のゴルフクラブ用バッグの底部材では、底面の裏側１ｂに凸条部５を設け、該凸条部５の断面形状が略半円形であることが好ましい。
【００２０】
前記底部材は、図３，４に示したように、第１底部材の底面縁部に複数個の脚部７を突設し、該脚部７と係合する切れ込み９を第２底部材の開口縁部に設けて、該第２底部材の上に第１底部材を順次積み上げて保管可能に構成することが、保管時に底部材が変形することを防止できる点で好ましい。
【００２１】
本発明においては、図４に示したように前記底部材の開口縁部の外周面に、ゴルフクラブ用バッグ本体の生地と当接するリング状のストッパー段差１１を設けている。これにより、このストッパー段差１１が底部材を取付ける場合の位置決めが容易になる。
【００２２】
本発明のゴルフクラブ用バッグの底部材１０は、底面に複数個の水抜き孔１３を穿設することが、雨天のプレー時においてバッグ底部に溜まった水を効率よく外部へ排出することができる点で好ましい。即ち、ゴルフクラブ用バッグ内に浸入した水は、前記底部材の底面の表側１ａに設けられた溝部３を伝わり、水抜き孔１３へ水を効率よく外部へ排出することができる。このため、溝部３は溝部中心から溝部端部に向かって低くなるように若干の角度を持たせることが好ましい。そして、この浸入した水は溝部端部から外周溝４によって水抜き孔１３へ向かって流れ、外部へ排出される。
なお、前記外周溝４は底部材の底面の表側１ａに底部材の外形に沿って外周部に形成されており、水が外周溝４へ流れ込み易いように溝部端部と繋がっている。前記外周溝４は連続した環状に形成されることが好ましい。この外周溝４を底部材１０に設けることによっても、底部材にかかる力を逃がすことができ、底部材の変形を抑制することができる。
【００２３】
前記ゴルフクラブ用バッグの底部材は、特に制限はなく、目的に応じて適宜選定でき、軽量化の点から軽金属材料或いは合成樹脂を好ましく用いることができる。例えば、軽金属材料としてアルミニウムやジュラルミン等、ポリプロピレン樹脂、ポリエチレン樹脂、ＡＢＳ樹脂、これらの混合樹脂等が挙げられる。これらの中でも、ポリプロピレン樹脂、ポリエチレン樹脂、又はこれらの混合樹脂が特に好ましい。
【００２４】
本発明のゴルフクラブ用バッグの底部材は、特に制限はなく、目的に応じて適宜選定することができるが、上記合成樹脂材料を用いて成形用金型により、射出成形法、プレス成形法、などの公知の成形方法により、連続的に製造することができる。
【００２５】
なお、図５に示したように、前記底部材の裏面の裏側には、ロゴ、商標、商品名などのマークＭを一体成形により描くことができ、デザイン性を付与することができる。
【００２６】
＜第二の実施態様に係るゴルフクラブ用バッグの底部材＞
図６〜図７は、本発明の第二の実施態様に係るゴルフクラブ用バッグの底部材１０を示し、図６は、底部材の底面の表側１ａの平面図、図７は、底部材の底面の裏側１ｂの平面図である。
【００２７】
この第二の態様に係るゴルフクラブ用バッグの底部材では、底面の表側１ａに溝部３を設け、該溝部３の断面形状が、略三角形であることが好ましい。
また、前記ゴルフクラブ用バッグの底部材では、底面の裏側１ｂに凸条部５を設け、該凸条部５の断面形状が略三角形であることが好ましい。
【００２８】
なお、前記ゴルフクラブ用バッグにおいて、上記の点以外は、第一の実施態様に係るゴルフクラブ用バッグの底部材と同様であるため、同一の参照符号を付してその説明を省略する。
【００２９】
＜第三の実施態様に係るゴルフクラブ用バッグの底部材＞
図８〜図９は、本発明の第三の実施態様に係るゴルフクラブ用バッグの底部材を示し、図８は、底部材の底面の表側１ａの平面図、図９は、底部材の底面の裏側１ｂの平面図である。
【００３０】
この第三の態様に係るゴルフクラブ用バッグの底部材では、底面の表側１ａに溝部３を設け、該溝部３の断面形状が、略台形であることが好ましい。
また、前記ゴルフクラブ用バッグの底部材では、底面の裏側１ｂに凸条部５を設け、該凸条部５の断面形状が略台形であることが好ましい。
【００３１】
なお、前記ゴルフクラブ用バッグにおいて、上記の点以外は、第一の実施態様に係るゴルフクラブ用バッグの底部材と同様であるため、同一の参照符号を付してその説明を省略する。
【００３２】
＜第四の実施態様に係るゴルフクラブ用バッグの底部材＞
図１０〜１１は、本発明の第四の実施態様に係るゴルフクラブ用バッグの底部材を示し、図１０は、底部材の底面の表側１ａの平面図、図１１は、底部材の底面の裏側１ｂの平面図である。
【００３３】
この第四の実施態様に係るゴルフクラブ用バッグの底部材では、底面の表側１ａに溝部３を設け、該溝部３の断面形状が、略半円形であることが好ましい。
また、前記ゴルフクラブ用バッグの底部材では、底面の裏側１ｂに凸条部５を設け、該凸条部５の断面形状が略半円形であることが好ましい。
そして、前記ゴルフクラブ用バッグの底部材では、楕円形底面の長軸方向に沿って規則的に複数個の溝部３及び凸条部５が形成されている。
【００３４】
なお、前記第四の実施態様に係るゴルフクラブ用バッグにおいて、上記の点以外は、第一の実施態様に係るゴルフクラブ用バッグの底部材と同様であるため、同一の参照符号を付してその説明を省略する。
【００３５】
＜第五の実施態様に係るゴルフクラブ用バッグの底部材＞
図１２〜図１３は、本発明の第五の実施態様に係るゴルフクラブ用バッグの底部材を示し、図１２は、底部材の底面の表側１ａの平面図、図１３は、底部材の底面の裏側１ｂの平面図である。
【００３６】
この第五の実施態様に係るゴルフクラブ用バッグの底部材では、底面の表側１ａに溝部３を設け、該溝部３の断面形状が、略半円形であることが好ましい。
また、前記ゴルフクラブ用バッグの底部材では、底面の裏側１ｂに凸条部５を設け、該凸条部５の断面形状が略半円形であることが好ましい。
そして、前記ゴルフクラブ用バッグの底部材では、底面１の形状が略半円形に形成されている。
【００３７】
なお、前記第五の実施態様に係るゴルフクラブ用バッグにおいて、上記の点以外は、第一の実施態様に係るゴルフクラブ用バッグの底部材と同様であるため、同一の参照符号を付してその説明を省略する。
【００３８】
＜ゴルフクラブ用バッグ＞
図１４は、底部２９に本発明のゴルフクラブ用バッグの底部材１０が取り付けられたゴルフクラブ用バッグ２０を示す斜視図である。
前記ゴルフクラブ用バッグ本体２１の底にゴルフクラブ用バッグの底部材１０を取り付ける手段としては、特に制限はないが、ミシンによる縫い付けにより縫着、ビスによる固定、などが挙げられる。
【００３９】
このゴルフクラブ用バッグの本体２１は合成樹脂製の筒状の芯材に図示を省略している合成皮革等を被覆して形成されており、上方からウッドクラブやアイアンクラブ等が収納できるように上部が開口している。そして、ゴルフクラブ用バッグは、図示を省略しているハンドルや図示を省略しているショルダーベルトによって持ち運べるようになっている。
【００４０】
前記ゴルフクラブ用バッグ本体２１の前面側には袋状のポケット２３が取り付けられ、又、ゴルフクラブ用バッグの本体２１の背面側には、バッグ状のポケット２５が取り付けられており、ゴルフクラブ用バッグの本体２１の両側面には縦長のポケット２７が設けられている。これらのポケット２３，２５，２７にはレインウェアやタオル等の小物を収納することができる。
本発明においては、上記のようにゴルフクラブ用バッグ本体にポケット等を縫い付けた場合において底部材に不均衡な力が作用しても、底部材が効率よく力を逃がすことができるので、底部材が湾曲することなく、ガタツクことなく、筒状体を底部材に対して垂直に自立させることができる。
【００４１】
前記ゴルフバッグ本体２１は、軽量化の点から、例えば、有機繊維で織った織布から構成することが好ましい。前記有機繊維の材料としては、例えば、ナイロン、ポリエステル、ポリ塩化ビニル等を好ましく用いることができる。
【００４２】
このように構成されるゴルフクラブ用バッグには、通常、ウッドゴルフクラブ、アイアンゴルフクラブ、及びパター等からなる１４本程の一連のゴルフクラブが収容可能であり、このように多数のゴルフクラブを収容した状態であっても安定に自立可能なものである。
【００４３】
以上、本発明のゴルフクラブ用バッグの底部材及びゴルフクラブ用バッグについて詳細に説明したが、本発明は上記実施の形態に限定されず、本発明の要旨を逸脱しない範囲で種々変更しても差支えない。
【００４４】
【発明の効果】
以上説明したように、本発明によれば、ゴルフクラブ用バッグの底部材の底面の表側及び裏側のいずれか一方又は両方に、凹凸部、凸部、凹部、凸条部及び溝部から選ばれるいずれかの表面形状を設けているので、ゴルフクラブ用バッグ本体の底に底部材を取り付けた際に、底部材に変形を与えるような力を効率よく逃がすことができ、底部材の変形を確実に防止できるのでゴルフクラブ用バッグをガタツクことなく安定に自立させることができる。
【図面の簡単な説明】
【図１】図１は、本発明の第一の実施態様に係るゴルフクラブ用バッグの底部材の底面の表側の平面図である。
【図２】図２は、本発明の第一の実施態様に係るゴルフクラブ用バッグの底部材の底面の裏側の平面図である。
【図３】図３は、本発明の第一の実施態様に係るゴルフクラブ用バッグの底部材の側面図である。
【図４】図４は、図３のＢ−Ｂ線での断面図である。
【図５】図５は、本発明の第一の実施態様に係るゴルフクラブ用バッグの底部材の底面の裏面にマークを施した平面図である。
【図６】図６は、本発明の第二の実施態様に係るゴルフクラブ用バッグの底部材の底面の表側の平面図である。
【図７】図７は、本発明の第二の実施態様に係るゴルフクラブ用バッグの底部材の底面の裏側の平面図である。
【図８】図８は、本発明の第三の実施態様に係るゴルフクラブ用バッグの底部材の底面の表側の平面図である。
【図９】図９は、本発明の第三の実施態様に係るゴルフクラブ用バッグの底部材の底面の裏側の平面図である。
【図１０】図１０は、本発明の第四の実施態様に係るゴルフクラブ用バッグの底部材の底面の表側の平面図である。
【図１１】図１１は、本発明の第四の実施態様に係るゴルフクラブ用バッグの底部材の底面の裏側の平面図である。
【図１２】図１２は、本発明の第五の実施態様に係るゴルフクラブ用バッグの底部材の底面の表側の平面図である。
【図１３】図１３は、本発明の第五の実施態様に係るゴルフクラブ用バッグの底部材の底面の裏側の平面図である。
【図１４】図１４は、本発明の一実施態様に係るゴルフクラブ用バッグを示す斜視図である。
【符号の説明】
１　　　底面
１ａ　　底面の表側
１ｂ　　底面の裏側
３　　　溝部
４　　　外周溝
５　　　凸条部
７　　　脚部
９　　　切り欠き
１０　　　ゴルフクラブ用バッグの底部材
１１　　　ストッパー段差
１３　　　水抜き孔
２０　　　ゴルフクラブ用バッグ
２１　　　バッグ本体
２３、２５、２７　　ポケット
２９　　　底部
Ｍ　　　マーク
【図１】
2004089425.tif 000003
【図２】
2004089425.tif 000004
【図３】
2004089425.tif 000005
【図４】
2004089425.tif 000006
【図５】
2004089425.tif 000007
【図６】
2004089425.tif 000008
【図７】
2004089425.tif 000009
【図８】
2004089425.tif 000010
【図９】
2004089425.tif 000011
【図１０】
2004089425.tif 000012
【図１１】
2004089425.tif 000013
【図１２】
2004089425.tif 000014
【図１３】
2004089425.tif 000015
【図１４】
2004089425.tif 000016